(57)【要約】【課題】認証情報の入力に手間を低減可能な表示装置を提供する。【解決手段】表示装置は、第１電子機器から正当な認証情報を受信する場合、前記第１電子機器と通信接続を確立する第１接続部と、前記第１電子機器との通信接続が確立している状態で、第２電子機器から通信に関する要求を受信する場合、前記第１電子機器に対して、前記第２電子機器との通信接続についての問合せを実行する問合せ部と、前記問合せに対する応答が、前記第２電子機器との通信接続の許可を示す場合、前記第２電子機器と通信接続を確立する第２接続部と、を含む。【選択図】図２
2020038424.tif 000002
【特許請求の範囲】
【請求項１】
第１電子機器から正当な認証情報を受信する場合、前記第１電子機器と通信接続を確立する第１接続部と、
前記第１電子機器との通信接続が確立している状態で、第２電子機器から通信に関する要求を受信する場合、前記第１電子機器に対して、前記第２電子機器との通信接続についての問合せを実行する問合せ部と、
前記問合せに対する応答が、前記第２電子機器との通信接続の許可を示す場合、前記第２電子機器と通信接続を確立する第２接続部と、
を含む表示装置。
【請求項２】
前記通信に関する要求は、前記第２電子機器と通信接続する候補を検索する検索要求である、
請求項１に記載の表示装置。
【請求項３】
前記通信に関する要求は、前記第２電子機器との通信接続を要求する接続要求である、
請求項１に記載の表示装置。
【請求項４】
前記第２接続部は、前記応答が前記第２電子機器との通信接続の禁止を示す場合には、前記第２電子機器から前記正当な認証情報を受信すると前記第２電子機器と通信接続を確立する、
請求項１から３のいずれか１項に記載の表示装置。
【請求項５】
前記問合せ部は、前記第１電子機器に前記問合せを表示させ、
前記第２接続部は、前記第１電子機器が利用者から前記問合せに対する回答の入力を受け取り後に前記第１電子機器から前記応答として当該回答を、受信する、
請求項１から４のいずれか１項に記載の表示装置。
【請求項６】
第１電子機器から正当な認証情報を受信する場合、前記第１電子機器と通信接続を確立する第１接続部と、
前記第１電子機器との通信接続が確立している第１状態で、第２電子機器から通信に関する要求を受信すると、前記第１状態において前記表示装置との通信接続が許可されている電子機器を示す許可機器情報に前記第２電子機器が示されている場合、前記第２電子機器と通信接続を確立する第３接続部と、
を含む表示装置。
【請求項７】
表示装置と、第１電子機器と、第２電子機器と、を含み、
前記第１電子機器は、正当な認証情報を送信し、また、前記第２電子機器との通信接続についての問合せに対する応答を送信し、
前記第２電子機器は、通信に関する要求を送信し、
前記表示装置は、
前記第１電子機器から前記正当な認証情報を受信する場合、前記第１電子機器と通信接続を確立する第１接続部と、
前記第１電子機器との通信接続が確立している状態で、前記第２電子機器から前記通信に関する要求を受信する場合、前記第１電子機器に対して、前記問合せを実行する問合せ部と、
前記問合せに対する応答が、前記第２電子機器との通信接続の許可を示す場合、前記第２電子機器と通信接続を確立する第２接続部と、を含む
表示システム。
【請求項８】
前記第１電子機器は、
前記表示装置との通信接続が許可されている電子機器を示す許可機器情報を保持する記憶部を有し、
前記問合せの受信時に前記第２電子機器が前記許可機器情報に示されている場合、前記第２電子機器との通信接続の許可を示す許可回答を、前記応答として送信する、
請求項７に記載の表示システム。
【請求項９】
第１電子機器から正当な認証情報を受信する場合、前記第１電子機器と通信接続を確立し、
前記第１電子機器との通信接続が確立している状態で、第２電子機器から通信に関する要求を受信する場合、前記第１電子機器に対して、前記第２電子機器との通信接続についての問合せを実行し、
前記問合せに対する応答が、前記第２電子機器との通信接続の許可を示す場合、前記第２電子機器と通信接続を確立する、
表示装置の制御方法。
【請求項１０】
表示装置と、第１電子機器と、第２電子機器と、を含む表示システムの制御方法であって、
前記第１電子機器は、正当な認証情報を送信し、
前記表示装置は、前記第１電子機器から前記正当な認証情報を受信する場合、前記第１電子機器と通信接続を確立し、
前記第２電子機器は、通信に関する要求を送信し、
前記表示装置は、前記第１電子機器との通信接続が確立している状態で、前記第２電子機器から前記通信に関する要求を受信する場合、前記第１電子機器に対して、前記第２電子機器との通信接続についての問合せを実行し、
前記第１電子機器は、前記問合せに対する応答を送信し、
前記表示装置は、前記問合せに対する応答が、前記第２電子機器との通信接続の許可を示す場合、前記第２電子機器と通信接続を確立する、
表示システムの制御方法。
【発明の詳細な説明】
【技術分野】
【０００１】
本発明は、表示装置、表示システム、表示装置の制御方法および表示システムの制御方法に関する。
【背景技術】
【０００２】
特許文献１には、プロジェクター等の表示装置に対して接続を要求する電子機器を、パスワード等の認証情報を用いて認証する技術が記載されている。この技術では、電子機器は、利用者からの認証情報の入力に応じて当該認証情報を表示装置に送信し、表示装置は、当該認証情報を用いて電子機器の認証に成功すると、表示装置と電子機器との通信接続を確立する。
【先行技術文献】
【特許文献】
【０００３】
【特許文献１】特開２０１１−１１８２４３号公報
【発明の概要】
【発明が解決しようとする課題】
【０００４】
特許文献１に記載の表示装置に対して複数の電子機器を接続する場合、電子機器ごとに常に認証情報を入力する必要があり、認証情報の入力に手間を要してしまう。
【課題を解決するための手段】
【０００５】
本発明に係る表示装置の一態様は、第１電子機器から正当な認証情報を受信する場合、前記第１電子機器と通信接続を確立する第１接続部と、前記第１電子機器との通信接続が確立している状態で、第２電子機器から通信に関する要求を受信する場合、前記第１電子機器に対して、前記第２電子機器との通信接続についての問合せを実行する問合せ部と、前記問合せに対する応答が、前記第２電子機器との通信接続の許可を示す場合、前記第２電子機器と通信接続を確立する第２接続部と、を含む。
【０００６】
本発明に係る他の表示装置の一態様は、第１電子機器から正当な認証情報を受信する場合、前記第１電子機器と通信接続を確立する第１接続部と、前記第１電子機器との通信接続が確立している第１状態で、第２電子機器から通信に関する要求を受信すると、前記第１状態において前記表示装置との通信接続が許可されている電子機器を示す許可機器情報に前記第２電子機器が示されている場合、前記第２電子機器と通信接続を確立する第３接続部と、を含む。
【０００７】
本発明に係る表示システムの一態様は、表示装置と、第１電子機器と、第２電子機器と、を含み、前記第１電子機器は、正当な認証情報を送信し、また、前記第２電子機器との通信接続についての問合せに対する応答を送信し、前記第２電子機器は、通信に関する要求を送信し、前記表示装置は、前記第１電子機器から前記正当な認証情報を受信する場合、前記第１電子機器と通信接続を確立する第１接続部と、前記第１電子機器との通信接続が確立している状態で、前記第２電子機器から前記通信に関する要求を受信する場合、前記第１電子機器に対して、前記問合せを実行する問合せ部と、前記問合せに対する応答が、前記第２電子機器との通信接続の許可を示す場合、前記第２電子機器と通信接続を確立する第２接続部と、を含む。
【０００８】
本発明に係る表示装置の制御方法の一態様は、第１電子機器から正当な認証情報を受信する場合、前記第１電子機器と通信接続を確立し、前記第１電子機器との通信接続が確立している状態で、第２電子機器から通信に関する要求を受信する場合、前記第１電子機器に対して、前記第２電子機器との通信接続についての問合せを実行し、前記問合せに対する応答が、前記第２電子機器との通信接続の許可を示す場合、前記第２電子機器と通信接続を確立する。
【０００９】
本発明に係る表示システムの制御方法の一態様は、表示装置と、第１電子機器と、第２電子機器と、を含む表示システムの制御方法であって、前記第１電子機器は、正当な認証情報を送信し、前記表示装置は、前記第１電子機器から前記正当な認証情報を受信する場合、前記第１電子機器と通信接続を確立し、前記第２電子機器は、通信に関する要求を送信し、前記表示装置は、前記第１電子機器との通信接続が確立している状態で、前記第２電子機器から前記通信に関する要求を受信する場合、前記第１電子機器に対して、前記第２電子機器との通信接続についての問合せを実行し、前記第１電子機器は、前記問合せに対する応答を送信し、前記表示装置は、前記問合せに対する応答が、前記第２電子機器との通信接続の許可を示す場合、前記第２電子機器と通信接続を確立する。
【図面の簡単な説明】
【００１０】
【図１】表示システム１の一例を示す図である。
【図２】プロジェクター１００の一例を示す図である。
【図３】第１電子機器２００の一例を示す図である。
【図４】表示システム１の動作の一例を説明するためのシーケンス図である。
【図５】問合せ画像の一例を示す図である。
【図６】表示システム１の動作の一例を説明するためのシーケンス図である。
【図７】プロジェクター１００の動作の一例を説明するためのフローチャートである。
【図８】第１電子機器２００の動作の一例を説明するためのフローチャートである。
【図９】許可機器情報の一例を示す図である。
【図１０】変形例２に係るプロジェクター１００の一例を示す図である。
【発明を実施するための形態】
【００１１】
＜Ａ：第１実施形態＞
＜Ａ１：表示システム１の概要＞
図１は、第１実施形態に係るプロジェクター１００を含む表示システム１の一例を示す図である。表示システム１は、プロジェクター１００と、第１電子機器２００と、第２電子機器３００と、を含む。
【００１２】
第１電子機器２００および第２電子機器３００は、例えば、画像を示す画像情報を出力可能なＰＣ（Personal Computer）等の情報処理装置である。第１電子機器２００および第２電子機器３００の各々はＰＣに限らず、例えばスマートフォン等の携帯機器でもよい。第１電子機器２００および第２電子機器３００の各々の数は１以上であればよい。
【００１３】
第１電子機器２００および第２電子機器３００は、それぞれ、有線または無線でプロジェクター１００と通信する。例えば、第１電子機器２００および第２電子機器３００は、それぞれ、無線ＬＡＮ（Local Area Network）を介してプロジェクター１００と通信する。
【００１４】
第１電子機器２００および第２電子機器３００は、それぞれ、画像情報をプロジェクター１００に送信する。以下、第１電子機器２００が送信する画像情報を「第１画像情報」と称する。第２電子機器３００が送信する画像情報を「第２画像情報」と称する。
【００１５】
プロジェクター１００は、表示装置の一例である。プロジェクター１００は、第１電子機器２００および第２電子機器３００の各々と通信接続を確立する。プロジェクター１００は、例えば、第１画像情報に基づく画像を、投射面５００に投射して表示したり、第２画像情報に基づく画像を投射面５００に投射して表示したりする。
【００１６】
以下では、第１電子機器２００が教師によって使用され、第２電子機器３００が生徒によって使用される例を説明する。第１電子機器２００が教師でない者によって使用されてもよく、第２電子機器３００が生徒でない者によって使用されてもよいことはいうまでもない。
【００１７】
プロジェクター１００は、教師が使用する第１電子機器２００については、プロジェクター１００に設定されている通信接続用の正当なパスワードを用いて認証を行い、当該認証に成功すると、第１電子機器２００との通信接続を確立する。以下、通信接続用の正当なパスワードを単に「正当なパスワード」と称する。正当なパスワードは、正当な認証情報の一例である。正当な認証情報は、正当なパスワードに限らず正当なキーワードでもよく適宜変更可能である。
プロジェクター１００は、生徒が使用する第２電子機器３００については、所定条件が満たされる場合には、正当なパスワードを用いる認証を行わずに、第２電子機器３００との通信接続を確立する。
【００１８】
＜Ａ２：プロジェクター１００の構成例＞
図２は、上述のプロジェクター１００の一例を示す図である。プロジェクター１００は、操作受取部１１０と、画像処理部１２０と、ライトバルブ駆動部１３０と、投射部１４０と、光源駆動部１５０と、プロジェクター側通信部１６０と、プロジェクター側記憶部１７０と、プロジェクター側制御部１８０とを含む。投射部１４０は、光源１４１と、Ｒ用液晶ライトバルブ１４２ａと、Ｇ用液晶ライトバルブ１４２ｂと、Ｂ用液晶ライトバルブ１４２ｃと、投射光学系１４３と、を含む。
【００１９】
ここで、「Ｒ」は赤色を意味する。「Ｇ」は緑色を意味する。「Ｂ」は青色を意味する。Ｒ用液晶ライトバルブ１４２ａと、Ｇ用液晶ライトバルブ１４２ｂと、Ｂ用液晶ライトバルブ１４２ｃとを相互に区別する必要がない場合、Ｒ用液晶ライトバルブ１４２ａと、Ｇ用液晶ライトバルブ１４２ｂと、Ｂ用液晶ライトバルブ１４２ｃの各々を単に「液晶ライトバルブ１４２」と称する。液晶ライトバルブ１４２は、液晶パネルによって構成される。液晶ライトバルブ１４２は、光を変調する光変調装置として機能する。
【００２０】
操作受取部１１０は、例えば、各種の操作ボタン、操作キーまたはタッチパネルである。操作受取部１１０は、利用者の入力操作を受け取る。操作受取部１１０は、入力操作に基づく情報を無線または有線で送信するリモートコントローラーでもよい。この場合、プロジェクター１００は、リモートコントローラーから情報を受信する受信部を含む。リモートコントローラーは、入力操作を受け取る各種の操作ボタン、操作キーまたはタッチパネルを備える。また、操作受取部１１０は、スマートフォン等の情報端末装置上で動作するアプリケーションに対する操作入力を情報端末装置から無線で受け付ける無線受信部でもよい。
【００２１】
画像処理部１２０は、第１画像情報または第２画像情報に画像処理を施すことによって画像信号を生成する。画像処理部１２０は、第１画像情報が示す画像と第２画像情報が示す画像とが合成されている合成画像を示す画像情報を生成し、当該合成画像を示す画像情報に画像処理を施すことによって画像信号を生成してもよい。画像処理部１２０が実行する画像処理は、例えば、解像度変換処理またはフレームレート変換処理を包含する。解像度変換処理では、画像処理部１２０は、画像情報の解像度を、プロジェクター側制御部１８０により指定される解像度、例えば液晶ライトバルブ１４２の解像度に変換する。フレームレート変換処理では、画像処理部１２０は、画像情報のフレームレートを、プロジェクター側制御部１８０が指定するフレームレートに変換する。画像処理部１２０は、解像度変換処理とフレームレート変換処理との両方を実行してもよいし、他の画像処理、例えば、いわゆるガンマ補正処理を実行してもよい。
【００２２】
ライトバルブ駆動部１３０は、画像処理部１２０が生成する画像信号に基づいて、液晶ライトバルブ１４２、具体的にはＲ用液晶ライトバルブ１４２ａ、Ｇ用液晶ライトバルブ１４２ｂおよびＢ用液晶ライトバルブ１４２ｃを駆動する。
【００２３】
投射部１４０は、画像情報に基づく投射画像を投射面５００に投射する。投射部１４０は、表示部の一例である。投射面５００は、表示面の一例である。投射面５００、例えばスクリーンである。投射面５００は、スクリーンに限らず適宜変更可能である。例えば、投射面５００は、壁またはホワイトボードでもよい。
【００２４】
光源１４１は、例えば、ＬＥＤ（Light Emitting Diode）である。光源１４１は、ＬＥＤに限らず適宜変更可能である。例えば、光源１４１は、キセノンランプ、超高圧水銀ランプまたはレーザー光源でもよい。
【００２５】
光源１４１から射出される光における輝度分布のばらつきは、不図示のインテグレーター光学系によって低減される。光源１４１から射出される光は、その後、不図示の色分離光学系によって光の３原色であるＲ、ＧおよびＢの色光成分に分離される。Ｒの色光成分はＲ用液晶ライトバルブ１４２ａに入射する。Ｇの色光成分はＧ用液晶ライトバルブ１４２ｂに入射する。Ｂの色光成分はＢ用液晶ライトバルブ１４２ｃに入射する。
【００２６】
液晶ライトバルブ１４２は、例えば、一対の透明基板間に液晶が存在する液晶パネルによって構成される。液晶ライトバルブ１４２は、マトリクス状に配列されている複数の画素１４２ｐからなる矩形の画素領域１４２ｄを有する。液晶ライトバルブ１４２では、液晶に対して画素１４２ｐごとに駆動電圧が印加される。
【００２７】
ライトバルブ駆動部１３０が、画像処理部１２０から入力される画像信号に基づく駆動電圧を各画素１４２ｐに印加すると、各画素１４２ｐの光透過率は、画像信号に基づく光透過率に設定される。このため、光源１４１から射出される光は、画素領域１４２ｄを透過することで変調され、画像信号に基づく画像が色光ごとに形成される。不図示の色合成光学系は、各液晶ライトバルブ１４２が生成する画像を画素１４２ｐごとに合成することによってカラー画像を生成する。
【００２８】
投射光学系１４３は、色合成光学系が生成するカラー画像を拡大して投射画像を生成し、当該投射画像を投射面５００に投射して表示する。
【００２９】
光源駆動部１５０は、光源１４１を駆動する。例えば、光源駆動部１５０は、操作受取部１１０が電源オンの操作入力を受け取ると、光源１４１を発光させる。
【００３０】
プロジェクター側通信部１６０は、第１電子機器２００および第２電子機器３００の各々と無線通信する。
【００３１】
プロジェクター側記憶部１７０は、コンピューターが読み取り可能な記録媒体である。プロジェクター側記憶部１７０は、プロジェクター１００の動作を規定するプログラムと、種々の情報とを記憶する。プロジェクター側記憶部１７０は、種々の情報の一部として、正当なパスワードを記憶する。正当なパスワードは、例えば操作受取部１１０から入力される。
【００３２】
プロジェクター側制御部１８０は、ＣＰＵ（Central Processing Unit）等のコンピューターである。プロジェクター側制御部１８０は、１または複数の処理装置で構成されてもよい。プロジェクター側制御部１８０は、プロジェクター側記憶部１７０が記憶するプログラムを読み取り実行することによって、第１接続部１８１と、問合せ部１８２と、第２接続部１８３と、表示制御部１８４と、を実現する。
【００３３】
第１接続部１８１は、プロジェクター１００と第１電子機器２００との通信接続が確立している接続確立状態ではない場合、第１電子機器２００または第２電子機器３００との通信接続を制御する。例えば、第１接続部１８１は、接続確立状態ではない状況において第１電子機器２００からプロジェクター側通信部１６０を介して正当なパスワードを受信する場合、第１電子機器２００と通信接続を確立する。接続確立状態は第１状態の一例である。
【００３４】
問合せ部１８２は、接続確立状態において、検索要求を第２電子機器３００からプロジェクター側通信部１６０を介して受信する場合、第１電子機器２００に対して、第２電子機器３００との通信接続についての問合せを実行する。検索要求は、検索要求の送信元と通信接続する候補を検索するための要求である。検索要求は、通信に関する要求の一例である。
【００３５】
第２接続部１８３は、接続確立状態において、問合せ部１８２からの問合せに対する応答を第１電子機器２００から受信する。
【００３６】
第２接続部１８３は、問合せに対する応答が、第２電子機器３００との通信接続の許可を示す場合、第２電子機器３００と通信接続を確立する。
例えば、第２接続部１８３は、問合せに対する応答が当該許可を示す場合、その後の第２電子機器３００からの接続要求の受信に応じて第２電子機器３００と通信接続を確立する。
さらに言えば、第２接続部１８３は、問合せに対する応答が許可を示す場合、第２電子機器３００から正当なパスワードを受信しなくても、その後の第２電子機器３００からの接続要求の受信に応じて第２電子機器３００と通信接続を確立する。
なお、第２接続部１８３は、問合せに対する応答が許可を示す場合、第２電子機器３００からの接続要求の有無に関係なく第２電子機器３００と通信接続を確立してもよい。
ここで、接続要求は、接続要求の送信元との通信接続の要求である。
【００３７】
表示制御部１８４は、画像処理部１２０、ライトバルブ駆動部１３０および光源駆動部１５０を用いて投射部１４０を制御する。表示制御部１８４は、例えば、プロジェクター側通信部１６０が第１電子機器２００および第２電子機器３００の少なくとも一方から受信する画像情報に応じた画像を投射面５００に投射する動作を、投射部１４０に実行させる。
【００３８】
＜Ａ３：第１電子機器２００の構成例＞
図３は、第１電子機器２００の一例を示す図である。第１電子機器２００は、第１電子機器側通信部２０１と、入力部２０２と、表示部２０３と、第１電子機器側記憶部２０４と、第１電子機器側制御部２０５と、を含む。
【００３９】
第１電子機器側通信部２０１は、プロジェクター１００と無線通信する。入力部２０２は、例えば、キーボードまたはタッチパネルであり、教師から種々の入力を受け取る。表示部２０３は、種々の情報を表示する。第１電子機器側記憶部２０４は、コンピューターが読み取り可能な記録媒体である。第１電子機器側記憶部２０４は、第１電子機器２００の動作を規定するプログラムと、種々の情報とを記憶する。第１電子機器側制御部２０５は、ＣＰＵ等のコンピューターである。第１電子機器側制御部２０５は、１または複数の処理装置で構成されてもよい。第１電子機器側制御部２０５は、第１電子機器側記憶部２０４が記憶するプログラムを読み取り実行することによって、第１電子機器２００を制御する。
【００４０】
＜Ａ４：表示システム１の動作の説明＞
以下では、教師の使用する第１電子機器２００が正当なパスワードを用いてプロジェクター１００と通信接続し、その後、生徒の使用する第２電子機器３００がプロジェクター１００と通信接続する例を説明する。
【００４１】
図４は、問合せ部１８２からの問合せに対する第１電子機器２００からの応答が、第２電子機器３００との通信接続の許可を示す場合の動作を説明するためのシーケンス図、換言すると、表示システム１の制御方法を説明するためのシーケンス図である。
【００４２】
ステップＳ１０１において第１電子機器２００の第１電子機器側制御部２０５は、入力部２０２への教師による入力操作に応じて、検索要求を第１電子機器側通信部２０１から送信する。
【００４３】
プロジェクター１００の第１接続部１８１は、第１電子機器２００を送信元とする検索要求を受信すると、ステップＳ１０２において、パスワード設定がなされていることを示すパスワード設定済通知を、検索要求の応答として第１電子機器２００に送信する。ここで、パスワード設定とは、プロジェクター１００と通信接続するために正当なパスワードの入力を必要とすることを意味する。
【００４４】
第１電子機器２００の第１電子機器側制御部２０５は、プロジェクター１００から検索要求の応答を受信すると、ステップＳ１０３において検索要求の応答、この場合ではパスワード設定済通知を表示部２０３に表示する。例えば、ステップＳ１０３において表示部２０３は、第１電子機器２００と通信接続可能な機器としてプロジェクター１００を表示し、かつ、プロジェクター１００にはパスワード設定がなされていることを表示する。
【００４５】
教師は、第１電子機器２００をプロジェクター１００と接続させる場合、入力部２０２を操作して、第１電子機器２００の通信接続先としてプロジェクター１００を選択し、かつ、パスワードを入力する。
【００４６】
ステップＳ１０４において入力部２０２が教師からプロジェクター１００の選択とパスワードとを受け取ると、ステップＳ１０５において第１電子機器側制御部２０５は、プロジェクター１００に対して、プロジェクター１００との接続を要求する接続要求と、パスワードとを送信する。
【００４７】
プロジェクター１００の第１接続部１８１は、第１電子機器２００から接続要求とパスワードとを受信すると、第１電子機器２００から受信するパスワードが、プロジェクター側記憶部１７０が記憶する正当なパスワードであるか否かを判断する。第１電子機器２００から受信するパスワードが正当なパスワードであると、第１接続部１８１は、第１電子機器２００の認証に成功する。
なお、第１電子機器２００から受信するパスワードが正当なパスワードと異なる場合、第１接続部１８１は、第１電子機器２００の認証に失敗し、第１電子機器２００との通信接続を確立せずに、第１電子機器２００に対して、認証の失敗を示す認証失敗通知を送信する。
【００４８】
第１接続部１８１は、第１電子機器２００の認証に成功すると、ステップＳ１０６において第１電子機器２００に、プロジェクター１００への接続を許可する接続許可通知を送信することによって、プロジェクター１００と第１電子機器２００との通信接続を確立する。
【００４９】
続いて、ステップＳ１０７において第２電子機器３００が、生徒による操作に応じて、検索要求を送信する。
【００５０】
プロジェクター１００の問合せ部１８２は、接続確立状態において第２電子機器３００を送信元とする検索要求を受信すると、ステップＳ１０８において、第１電子機器２００に対して、第２電子機器３００との通信接続を許可するか否かを問い合わせる問合せ通知を送信する。
【００５１】
第１電子機器２００の第１電子機器側制御部２０５は、問合せ通知を受信すると、ステップＳ１０９において第２電子機器３００との通信接続を許可するか否かを問い合わせる問合せ画像を表示部２０３に表示する。問合せ画像としては、例えば図５に示す画像が用いられる。なお、問合せ画像は、図５に示す画像に限らず適宜変更可能である。ここで、問合せ画像の表示を別観点で捉えると、問合せ部１８２は、第１電子機器２００に問合せ通知を送信することによって第１電子機器２００に問合せ通知を表示させることになる。
【００５２】
図４に戻って、教師は、例えば生徒が使用している第２電子機器３００が出力する画像情報に応じた画像をプロジェクター１００に投射させるために、第２電子機器３００とプロジェクター１００との通信接続を許可する場合、入力部２０２を操作して、第２電子機器３００との通信接続の許可を示す許可回答を入力する。
【００５３】
第１電子機器側制御部２０５は、ステップＳ１１０において入力部２０２が許可回答を受け取ると、ステップＳ１１１において問合せに対する応答として許可回答をプロジェクター１００に送信する。
【００５４】
プロジェクター１００の第２接続部１８３は、許可回答を受信すると、第２電子機器３００に対するパスワード設定を解除し、ステップＳ１１２において、パスワード設定がなされていないことを示すパスワード非設定通知を、検索要求の応答として第２電子機器３００に送信する。また、許可回答に、パスワード設定を解除する解除指示が含まれてもよい。この場合、第２接続部１８３は、解除指示に従ってパスワード設定を解除する。
【００５５】
第２電子機器３００は、プロジェクター１００からパスワード非設定通知を受信すると、ステップＳ１１３において第２電子機器３００と通信接続可能な機器としてプロジェクター１００を表示する。なお、ステップＳ１１３において、第２電子機器３００は、プロジェクター１００にはパスワード設定がなされていないことも表示してもよい。
【００５６】
生徒は、第２電子機器３００をプロジェクター１００と接続させる場合、第２電子機器３００を操作して、第２電子機器３００の通信接続先としてプロジェクター１００を選択する。この際、生徒は正当なパスワードを入力する必要はない。
【００５７】
第２電子機器３００は、ステップＳ１１４において生徒からプロジェクター１００の選択を受け取ると、ステップＳ１１５においてプロジェクター１００に、プロジェクター１００との接続を要求する接続要求を送信する。
【００５８】
プロジェクター１００の第２接続部１８３は、第２電子機器３００から接続要求を受信すると、ステップＳ１１６において第２電子機器３００に対して、プロジェクター１００への接続を許可する接続許可通知を送信することによって、プロジェクター１００と第２電子機器３００との通信接続を確立する。
【００５９】
このため、生徒は、正当なパスワードを第２電子機器３００に入力することなく第２電子機器３００をプロジェクター１００に接続できるので、生徒がパスワードを入力する煩わしさを低減できる。
【００６０】
正当なパスワードを用いて通信接続している第１電子機器２００からの応答は、信頼に値する情報とみなせる。この信頼に値する情報に基づいて第２電子機器３００と通信接続を確立するため、プロジェクター１００との通信接続に関するセキュリティーのレベルの低下を抑制可能になる。
【００６１】
図６は、問合せ部１８２からの問合せに対する第１電子機器２００からの応答が、第２電子機器３００との通信接続の禁止を示す場合の動作を説明するためのシーケンス図である。図６に示す処理において、図４に示す処理と同一処理については同一符号を付してある。以下、図６に示す処理のうち、図４に示す処理と異なる処理を中心に説明する。
【００６２】
ステップＳ１０９において問合せ画像に示される第２電子機器３００が、教師が認識している電子機器ではない場合、教師は、入力部２０２を操作して、問合せ画像に示される第２電子機器３００との通信接続の禁止を示す禁止回答を入力する。
【００６３】
第１電子機器２００の第１電子機器側制御部２０５は、ステップＳ２０１において禁止回答を受け取ると、ステップＳ２０２において問合せに対する応答として禁止回答をプロジェクター１００に送信する。
【００６４】
プロジェクター１００の第２接続部１８３は、禁止回答を受信すると、パスワード設定を行い、ステップＳ２０３において、パスワード設定済通知を検索要求の応答として第２電子機器３００に送信する。なお、禁止回答の受信時にパスワード設定が既になされている場合、第２接続部１８３は、パスワード設定を維持する。ここで、第１電子機器２００からの禁止回答に、パスワード設定を実行する設定指示が含まれてもよい。この場合、第２接続部１８３は、設定指示に従ってパスワード設定を実行する。
【００６５】
第２電子機器３００は、プロジェクター１００から検索要求の応答を受信すると、ステップＳ２０４において検索要求の応答、この場合ではパスワード設定済通知を表示する。この表示は、例えば、ステップＳ１０３における表示と同様である。
【００６６】
生徒は、教師が第２電子機器３００の通信接続を禁止する状況、例えば、教師が誤って通信接続を禁止する状況において、第２電子機器３００をプロジェクター１００と接続させる場合、第２電子機器３００を操作して、第２電子機器３００の通信接続先としてプロジェクター１００を選択し、かつ、パスワードを入力する。
【００６７】
第２電子機器３００は、ステップＳ２０５において生徒からプロジェクター１００の選択とパスワードとを受け取ると、ステップＳ２０６においてプロジェクター１００に、プロジェクター１００との接続を要求する接続要求と、パスワードと、を送信する。
【００６８】
プロジェクター１００の第２接続部１８３は、第２電子機器３００から接続要求とパスワードとを受信すると、第２電子機器３００から受信するパスワードが正当なパスワードであるか否かを判断する。第２電子機器３００から受信するパスワードが正当なパスワードであると、第２接続部１８３は、第２電子機器３００の認証に成功する。
【００６９】
第２接続部１８３は、第２電子機器３００の認証に成功すると、ステップＳ２０７において第２電子機器３００に、プロジェクター１００との接続を許可する接続許可通知を送信することによって、プロジェクター１００と第２電子機器３００との通信接続を確立する。
【００７０】
このように、第２接続部１８３は、第１電子機器２００からの問合せの応答が禁止回答である場合でも、第２電子機器３００から正当なパスワードを受信すると第２電子機器３００と通信接続を確立する。
このため、教師が誤って禁止回答を入力する場合でも、生徒は正当なパスワードを第２電子機器３００に入力することによって、第２電子機器３００をプロジェクター１００に通信接続させることが可能になる。
なお、第２接続部１８３は、第１電子機器２００に対する問合せの応答が禁止回答である状況において、第２電子機器３００から受信するパスワードが正当なパスワードと異なる場合、第２電子機器３００と通信接続を確立しない。
【００７１】
＜Ａ５：プロジェクター１００の動作の説明＞
図７は、プロジェクター１００の動作のうち、検索要求を受信してから検索要求への応答を送信するまでの動作を詳細に説明するためのフローチャートである。
【００７２】
ステップＳ１１において第１接続部１８１は、検索要求を受信すると、ステップＳ１２においてプロジェクター１００と通信接続の確立している電子機器があるか否かを判断する。
【００７３】
ステップＳ１２において通信接続の確立している電子機器がない場合、第１接続部１８１は、ステップＳ１８においてパスワード設定を行う。なお、既にパスワード設定がなされている場合には、ステップＳ１８において、第１接続部１８１はパスワード設定を維持する。続いて、第１接続部１８１は、ステップＳ１９において検索要求の送信元に対して、検索要求への応答を送信する。ステップＳ１９では、パスワード設定がなされている場合、パスワード設定済通知が、検索要求への応答として用いられる。
【００７４】
ステップＳ１２において通信接続を確立している電子機器がある場合、ステップＳ１３において第１接続部１８１は、第１電子機器２００と通信接続を確立しているか否かを判断する。ステップＳ１３において第１電子機器２００と通信接続を確立していない場合、ステップＳ１８が実行される。
【００７５】
ステップＳ１３において第１電子機器２００と通信接続を確立している場合、ステップＳ１４において問合せ部１８２は、第１電子機器２００に問合せ通知を送信する。
続いて、第２接続部１８３は、ステップＳ１５において問合せ通知に対する応答を受信すると、ステップＳ１６において問合せ通知に対する応答が許可回答であるか否かを判断する。
【００７６】
ステップＳ１６において問合せ通知に対する応答が許可回答であると、ステップＳ１７において第２接続部１８３は、パスワード設定を解除してパスワード設定がなされていない状態にする。なお、既にパスワード設定がなされていない状態である場合には、ステップＳ１７において、第２接続部１８３は、パスワード設定がなされていない状態を維持する。
【００７７】
続いて、第２接続部１８３は、ステップＳ１９において検索要求の送信元に対して、検索要求への応答を送信する。ステップＳ１９では、パスワード設定がなされていない場合、パスワード非設定通知が検索要求への応答として用いられる。
【００７８】
ステップＳ１６において問合せ通知に対する応答が禁止回答であると、ステップＳ１８が実行される。
【００７９】
このように、問合せ通知の送信先として、正当なパスワードによって認証されている信頼性の高い利用者である教師が利用する第１電子機器２００が設定されれば、問合せ通知の応答の信憑性を高くできる。よって、信憑性の高い応答に基づいて、第２電子機器３００との通信接続を制御でき、プロジェクター１００との通信接続に関するセキュリティーのレベルの低下を抑制可能になる。なお、教師が利用する第１電子機器２００の他に正当なパスワードによって認証されている他の第１電子機器２００が存在する状況での問合せ通知の送信先として、教師が利用する第１電子機器２００が予め設定されてもよいし、正当なパスワードによって認証されている他の第１電子機器２００が用いられてもよい。
【００８０】
＜Ａ６：第１電子機器２００の動作の説明＞
図８は、第１電子機器２００の動作のうち、問合せ通知を受信してから問合せ通知への応答を送信するまでの動作を詳細に説明するためのフローチャートである。なお、図８に示す動作では、許可回答に解除指示が含まれ、禁止回答には設定指示が含まれる。
【００８１】
第１電子機器側制御部２０５は、ステップＳ２１において問合せ通知を受信すると、ステップＳ２２において問合せ通知に応じたダイアログ表示を表示部２０３に実行する。ダイアログ表示としては、上述の図５に示す表示が挙げられる。教師は、ダイアログ表示に従って、問合せ通知に対する回答として、許可回答と禁止回答とのいずれかを入力部２０２を用いて入力する。
【００８２】
続いて、第１電子機器側制御部２０５は、ステップＳ２３において許可回答が入力される場合、ステップＳ２４において許可回答に解除指示を付加する。一方、ステップＳ２３において禁止回答が入力される場合、ステップＳ２５において禁止回答に設定指示を付加する。
【００８３】
ステップＳ２４が完了すると、ステップＳ２６において第１電子機器側制御部２０５は、解除指示が付加されている許可回答を、問合せ通知への応答として、プロジェクター１００に送信する。
一方、ステップＳ２５が完了すると、ステップＳ２６において第１電子機器側制御部２０５は、設定指示が付加されている禁止回答を、問合せ通知への応答として、プロジェクター１００に送信する。
【００８４】
このように、許可回答に解除指示が付加されれば、プロジェクター１００は、解除指示に従ってパスワード設定を解除すればよく、パスワード設定の解除の要否の判断を簡易化できる。また、禁止回答に設定指示が付加されれば、プロジェクター１００は、設定指示に従ってパスワード設定を実行すればよく、パスワード設定の実行の要否の判断を簡易化できる。
【００８５】
＜Ｂ：変形例＞
第１実施形態において、例えば以下に例示する構成が採用されてもよい。
【００８６】
＜Ｂ１：変形例１＞
第１実施形態において、第１電子機器２００は、プロジェクター１００との通信接続が許可されている許可機器を示す許可機器情報を第１電子機器側記憶部２０４において保持してもよい。第１電子機器側記憶部２０４は、記憶部の一例である。図９は、許可機器情報の一例を示す図である。許可機器情報は、図９に示す情報に限らず適宜変更可能である。
【００８７】
この場合、第１電子機器側制御部２０５は、問合せ通知の受信時に第２電子機器３００が許可機器情報に示されていると、問合せ通知への応答として許可回答を送信する。一方、第１電子機器側制御部２０５は、問合せ通知の受信時に第２電子機器３００が許可機器情報に示されていないと、問合せ通知への応答として禁止回答を送信する。
【００８８】
変形例１によれば、問合せ通知への応答を自動的に送信できるため、第１電子機器２００の利用者が問合せに対して回答する負担を軽減できる。
【００８９】
＜Ｂ２：変形例２＞
第１実施形態において、プロジェクター１００が許可機器情報を保持してもよい。また、複数の第１電子機器２００が存在する場合、プロジェクター１００は、第１電子機器２００ごとに、許可機器情報を保持してもよい。この場合、プロジェクター１００は、通信接続を確立している第１電子機器２００に対応する許可機器情報を用いて、問合せ通知への応答を生成してもよい。
【００９０】
図１０は、変形例２に係るプロジェクター１００の一例を示す図である。図１０において、図２に示す構成と同一構成のものには同一符号を付してある。以下、図１０に示すプロジェクター１００について、図２に示す構成と異なる構成を中心に説明する。
【００９１】
図１０に示すプロジェクター１００は、第３接続部１８５を有し、問合せ部１８２および第２接続部１８３を有さず、プロジェクター側記憶部１７０が第１電子機器２００ごとに第１電子機器２００に対応する許可機器情報を保持する点において、図２に示すプロジェクター１００と異なる。各許可機器情報に示される許可機器は互いに異なってもよいし同じでもよい。
【００９２】
第３接続部１８５は、プロジェクター側制御部１８０がプロジェクター側記憶部１７０の記憶するプログラムを読み取り実行することによって実現される。
第３接続部１８５は、１台の第１電子機器２００との通信接続が確立している状態で、第２電子機器３００から検索要求を受信すると、まず、通信接続が確立している第１電子機器２００に対応する許可機器情報を、特定許可機器情報として決定する。
【００９３】
続いて、第３接続部１８５は、特定許可機器情報に、検索要求の送信元である第２電子機器３００が示されている場合、第２電子機器３００と通信接続を確立する。
例えば、第３接続部１８５は、特定許可機器情報に第２電子機器３００が示されている場合、その後の第２電子機器３００からの接続要求の受信に応じて第２電子機器３００と通信接続を確立する。
さらに言えば、第３接続部１８５は、特定許可機器情報に第２電子機器３００が示されている場合、第２電子機器３００から正当なパスワードを受信しなくても、その後の第２電子機器３００からの接続要求の受信に応じて第２電子機器３００と通信接続を確立する。
なお、第３接続部１８５は、特定許可機器情報に第２電子機器３００が示されている場合、第２電子機器３００からの接続要求の有無に関係なく、第２電子機器３００と通信接続を確立してもよい。
【００９４】
変形例２によれば、第１電子機器２００に問合せを行うことなく、第２電子機器３００との通信接続に正当なパスワードが必要か否かを判定できる。よって、第１実施形態および変形例１に比べてプロジェクター１００と第１電子機器２００との問合せに関する通信処理を低減できる。
【００９５】
＜Ｂ３：変形例３＞
第１実施形態、変形例１および変形例２において、第１電子機器２００の利用者は、教師でなく例えば会議の司会者でもよい。この場合、第２電子機器３００の利用者は、生徒でなく会議の参加者であることが望ましい。
【００９６】
＜Ｂ４：変形例４＞
第１実施形態および変形例１〜変形例３において、通信に関する要求として、検索要求の代わりに、第２電子機器３００との通信接続を要求する接続要求が用いられてもよい。
この場合、例えば第１実施形態では、図６に示すステップＳ１０７に続いてステップＳ２０３〜Ｓ２０６が実行され、ステップＳ２０６に続いてステップＳ１０８およびＳ１０９が実行される。
その後、図４に示すステップＳ１０９およびＳ１１０と、図６に示すステップＳ２０１およびＳ２０２と、のいずれかが実行される。
ステップＳ１１１が実行される場合には、続いて、ステップＳ１１６が実行される。
一方、ステップＳ２０２が実行される場合には、ステップＳ２０６で送信されるパスワードが正当なパスワードであると、ステップＳ２０７が実行され、正当なパスワードでないと、通信接続が確立されない。
【００９７】
＜Ｂ５：変形例５＞
第１実施形態および変形例１〜変形例４において、表示装置は、プロジェクター１００に限らず適宜変更可能である。例えば、表示装置として、液晶表示装置またはＥＬ表示装置が用いられてもよい。
【００９８】
＜Ｂ６：変形例６＞
第１実施形態および変形例１〜変形例５において、プロジェクター側制御部１８０がプログラムを実行することによって実現される機能の全部または一部は、例えばＦＰＧＡ（field programmable gate array）またはＡＳＩＣ（Application Specific IC）等の電子回路によりハードウェアで実現されてもよい。
【００９９】
＜Ｂ７：変形例７＞
第１実施形態および変形例１〜変形例６において、光変調装置の一例として液晶ライトバルブ１４２が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１４１が発した光を変調可能な構成は、光変調装置として採用できる。
【符号の説明】
【０１００】
１００…プロジェクター、１１０…操作受取部、１２０…画像処理部、１３０…ライトバルブ駆動部、１４０…投射部、１４１…光源、１４２…液晶ライトバルブ、１４３…投射光学系、１５０…光源駆動部、１６０…プロジェクター側通信部、１７０…プロジェクター側記憶部、１８０…プロジェクター側制御部、１８１…第１接続部、１８２…問合せ部、１８３…第２接続部、１８４…表示制御部、１８５…第３接続部。
【図１】
2020038424.tif 000003
【図２】
2020038424.tif 000004
【図３】
2020038424.tif 000005
【図４】
2020038424.tif 000006
【図５】
2020038424.tif 000007
【図６】
2020038424.tif 000008
【図７】
2020038424.tif 000009
【図８】
2020038424.tif 000010
【図９】
2020038424.tif 000011
【図１０】
2020038424.tif 000012